(57)【要約】【課題】磁路の分布を調整可能とし、共振周波数のズレを調整できる非可逆回路素子を提供する。【解決手段】本発明の非可逆回路素子は、平板状のフェライト部材４と、このフェライト部材４上に位置し、誘電体８を挟んで上下方向の異なる面に設けられて、上下方向に一部が交叉する第１，第２，第３の中心導体５，６，７と、この中心導体上に配置された磁石２と、この磁石２を覆うように配置された第１のヨーク１と、前記フェライト部材４の下面側に配置され、第１のヨーク１とで磁気閉回路を構成する第２のヨーク３とを備え、第１のヨーク１、又は第２のヨーク３には、折り曲げ可能な舌片１ｂ又は３ｃが設けられたため、製品毎に舌片の折り曲げ度合いを調整することによって、共振周波数のズレを調整できて、所望の共振周波数が得られる。【選択図】　　　　図３
2004135101.tif 000002
【特許請求の範囲】
【請求項１】
平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第１のヨーク、又は前記第２のヨークには、折り曲げ可能な舌片が設けられたことを特徴とする非可逆回路素子。
【請求項２】
前記舌片が前記第１のヨーク、又は前記第２のヨークの側板に設けられたことを特徴とする請求項１記載の非可逆回路素子。
【請求項３】
前記舌片が切り曲げされて形成されたことを特徴とする請求項１，又は２記載の非可逆回路素子。
【請求項４】
前記舌片が複数個設けられたことを特徴とする請求項１から３の何れかに記載の非可逆回路素子。
【請求項５】
前記舌片が前記第１のヨーク、又は前記第２のヨークの対向する側板に設けられたことを特徴とする請求項１から４の何れかに記載の非可逆回路素子。
【発明の詳細な説明】
【０００１】
【発明の属する技術分野】
本発明は送受信システム等に適用されるサーキュレータ、アイソレータ等の非可逆回路素子に関する。
【０００２】
【従来の技術】
従来の非可逆回路素子の構成を図６，図７に基づいて説明すると、従来の非可逆回路素子は、コ字状の第１のヨーク５１と、この第１のヨーク５１内に配置された磁石５２と、この磁石５２の下部に配置されたフェライト部材５３と、１２０度の間隔でフェライト部材５３に取り付けられ、一部が互いに交叉した状態となった金属板からなる３個の中心導体５４と、フェライト部材５３を保持する保持部材５５と、コ字状の第２のヨーク５６とで構成されている。
【０００３】
また、保持部材５５の孔５５ａには、中心導体５４を取り付けたフェライト部材５３が挿入されると共に、このフェライト部材５５上に磁石５２を配置した状態で、上下から第１，第２のヨーク５１，５６を被せる。
そして、第１，第２のヨーク５１，５６で磁石５２，フェライト部材５３、及び保持部材５５を挟持した状態で、コ字状が互い違いに配置された第１，第２のヨーク５１，５６を結合して、第１，第２のヨーク５１，５６とで磁気閉回路が形成された構成となっている。
【０００４】
また、中心導体５４は、薄い金属板で形成されて、端部に設けられた端子部５４ａが第１，第２のヨーク５１，５６外に突出した構成となっている。
このような非可逆回路素子が電子機器に組み込みされた際、中心導体５４の端子部５４ａは、電子機器のプリント基板に設けたランド部に半田接続されるようになっている。
【０００５】
そして、図７は、従来の非可逆回路素子における磁路Ｇの分布を示し、従来の非可逆回路素子においては、フェライト部材５３や磁石５２等の加工寸法のバラツキ、及びそれらの部品の組立時のバラツキによって、磁路Ｇ（点線で図示）の分布にバラツキを生じて、製品毎に共振周波数のズレを生じるものであった。
【０００６】
【発明が解決しようとする課題】
従来の非可逆回路素子は、フェライト部材５３や磁石５２等の加工寸法のバラツキ、及びそれらの部品の組立時のバラツキによって、磁路Ｇの分布にバラツキを生じて、製品毎に共振周波数のズレを生じるという問題がある。
【０００７】
そこで、本発明は磁路の分布を調整可能とし、共振周波数のズレを調整できる非可逆回路素子を提供することを目的とする。
【０００８】
【課題を解決するための手段】
上記課題を解決するための第１の解決手段として、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第１のヨーク、又は前記第２のヨークには、折り曲げ可能な舌片が設けられた構成とした。
【０００９】
また、第２の解決手段として、前記舌片が前記第１のヨーク、又は前記第２のヨークの側板に設けられた構成とした。
また、第３の解決手段として、前記舌片が切り起こしによって形成された構成とした。
【００１０】
また、第４の解決手段として、前記舌片が複数個設けられた構成とした。
また、第５の解決手段として、前記舌片が前記第１のヨーク、又は前記第２のヨークの対向する側板に設けられた構成とした。
【００１１】
【発明の実施の形態】
本発明の非可逆回路素子の図面を説明すると、図１は本発明の非可逆回路素子の第１実施例に係る分解斜視図、図２は本発明の非可逆回路素子の第１実施例に係る要部の断面図、図３は図２の３−３線における断面図、図４は本発明の非可逆回路素子の第１実施例に係り、磁路の分布を示す説明図、図５は本発明の非可逆回路素子の第２実施例に係り、要部の拡大斜視図である。
【００１２】
次に、本発明の非可逆回路素子の第１実施例の構成を図１〜図４に基づいて説明すると、磁性板（鉄板等）からなる第１のヨーク１は、四角平板状の上板１ａで形成されている。
円板状の磁石２は、第１のヨーク１の下面に配置されている。
【００１３】
コ字状の磁性板（鉄板等）からなる第２のヨーク３は、四角状の底板３ａと、この底板３ａの対向する辺から上方に折り曲げられた対向する一対の側板３ｂと、この一対の側板３ｂの対向する位置に、上方から下方に向けて切り曲げされた複数個の折り曲げ可能な舌片３ｃとを有する。
【００１４】
そして、この第２のヨーク３は、その一対の側板３ｂが第１のヨーク１の上板１ａｂと結合されて、磁気閉回路が形成されると共に、舌片３ｃは、先端部が外方から押圧されると内方に折り曲げられて、第１，第２のヨーク１，３で囲まれた空間部の内方への突出量が調整できるようになっている。
【００１５】
ＹＩＧ（Ｙｔｔｒｉｕｍ　ｉｒｏｎ　ｇａｒｎｅｔ）等からなる平板状のフェライト部材４は、第２のヨーク３の底板３ａ上に載置された状態で、取り付けられている。
【００１６】
また、チップ型のコンデンサＣ１は、板状のセラミック等からなる絶縁体２１と、この絶縁体２１の対向する平坦な二つの外面に設けられた銀等からなる第１，第２の電極部２２，２３とで構成され、そして、互いに対向する第１，第２の電極部２２，２３との間で容量が形成されている。
【００１７】
そして、３個のチップ型のコンデンサＣ１は、第１の電極部２２が第２のヨーク３の底板３ａに半田付けされ、第２のヨーク３に取り付けられると共に、第２のヨーク３に接地された構成となっている。
【００１８】
銅等の薄い導電板からなる第１，第２，第３の中心導体５，６、７は、それぞれ両端部に設けられた一対の折り曲げ部５ａ、６ａ、７ａと、一方の折り曲げ部５ａ、６ａ、７ａの端部に設けられた接続部５ｂ、６ｂ、７ｂと、他方の折り曲げ部５ａ、６ａ、７ａの端部において折り曲げ形成された端子部５ｃ、６ｃ、７ｃとを有する。
【００１９】
そして、第１，第２，第３の中心導体５，６、７は、それぞれ絶縁材からなる誘電体８を挟んで上下方向の異なる面に配置され、且つ、互いに１２０度の間隔を置いて配設されると共に、上下方向において一部が交叉した状態となっている。
また、これ等の第１，第２，第３の中心導体５，６、７は、誘電体８を介してフェライト部材４上に載置される。
【００２０】
この時、第１，第２，第３の中心導体５，６，７の端子部５ｃ、６ｃ、７ｃは、それぞれが第２のヨーク３外に導出されると共に、端子部５ｃ、６ｃ、７ｃの中間部のそれぞれがチップ型のコンデンサＣ１の第２の電極部２３上に半田付けされて、電気的に接続される。
また、接続部５ｂ、６ｂ、７ｂは、第２のヨーク３の底板３ａに半田付けされて、接地状態で電気的に接続される。
【００２１】
そして、第１，第２，第３の中心導体５，６，７上には、第１のヨーク１に配設された磁石２を配置し、この状態で、第１のヨーク１の上板１ａと第２のヨーク３の側板３ｂ同士を結合して、第１，第２のヨーク１，３間で磁石２，フェライト部材４等を挟持すると、サーキュレータ、或いはアイソレータからなる非可逆回路素子が形成される。
【００２２】
また、このような構成を有する非可逆回路素子は、ここでは図示しないが、導電パターンを有する回路基板上に搭載されて、第１，第２，第３の中心導体５，６，７の端子部５ｃ、６ｃ、７ｃは、配線用の導電パターンに半田付けされると共に、第２のヨーク３の底板３ａが接地用の導電パターンに半田付けされる。
【００２３】
そして、図４は、本発明の非可逆回路素子における磁路Ｇの分布を示し、一般に非可逆回路素子においては、フェライト部材３や磁石２等の加工寸法のバラツキ、及びそれらの部品の組立時のバラツキによって、磁路Ｇ（点線で図示）の分布にバラツキを生じて、製品毎に共振周波数のズレを生じる。
【００２４】
そこで、本発明の非可逆回路素子においては、舌片３ｃを内方に向けて折り曲げると、磁路Ｇの分布が変わり、製品毎に舌片３ｃの折り曲げ度合いを調整することによって、共振周波数のズレを調整できて、所望の共振周波数が得られるようになる。
【００２５】
また、図５は、本発明の非可逆回路素子の第２実施例を示し、この第２実施例は、第１実施例の舌片３ｃに代えて、第１のヨーク１には側板を兼ねる折り曲げ可能な舌片１ｂが設けられたものである。
そして、この舌片１ｂの折り曲げによって、第１実施例と同様に、共振周波数のズレを調整するようにしたものである。
【００２６】
また、その他の構成は、前記第１実施例と同様であるので、同一部品に同一番号を付し、ここではその説明を省略する。
【００２７】
なお、上記実施例では、第１，或いは第２のヨークに舌片を設けたもので説明したが、第１，第２のヨークの双方に舌片を設けても良く、また、舌片は、一つの側板に複数個設けても良い。
【００２８】
【発明の効果】
本発明の非可逆回路素子は、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、第１のヨークとで磁気閉回路を構成する第２のヨークとを備え、第１のヨーク、又は第２のヨークには、折り曲げ可能な舌片が設けられたため、製品毎に舌片の折り曲げ度合いを調整することによって、共振周波数のズレを調整できて、所望の共振周波数が得られる。
【００２９】
また、舌片が第１のヨーク、又は第２のヨークの側板に設けられたため、舌片の外部からの折り曲げ調整が容易となり、調整作業の容易なものが得られる。
【００３０】
また、舌片が切り起こしによって形成されたため、その構成が簡単で、生産性の良いものが得られる。
【００３１】
また、舌片が複数個設けられたため、磁路分布のより微細な変更ができて、共振周波数のズレの微細な調整ができる。
【００３２】
また、舌片が第１のヨーク、又は第２のヨークの対向する側板に設けられたため、磁路分布の調整の容易なものが得られる。
【図面の簡単な説明】
【図１】本発明の非可逆回路素子の第１実施例に係る分解斜視図。
【図２】本発明の非可逆回路素子の第１実施例に係る要部の断面図。
【図３】図２の３−３線における断面図。
【図４】本発明の非可逆回路素子の第１実施例に係り、磁路の分布を示す説明図。
【図５】本発明の非可逆回路素子の第２実施例に係り、要部の拡大斜視図。
【図６】従来の非可逆回路素子の分解斜視図。
【図７】従来の非可逆回路素子に係る磁路の分布を示す説明図。
【符号の説明】
１　第１のヨーク
１ａ　上板
１ｂ　舌片
２　磁石
３　第２のヨーク
３ａ　底板
３ｂ　側板
３ｃ　舌片
４　フェライト部材
５　第１の中心導体
５ａ　折り曲げ部
５ｂ　接続部
５ｃ　端子部
６　第２の中心導体
６ａ　折り曲げ部
６ｂ　接続部
６ｃ　端子部
７　第３の中心導体
７ａ　折り曲げ部
７ｂ　接続部
７ｃ　端子部
８　誘電体
Ｃ１　チップ型のコンデンサ
２１　絶縁体
２２　第１の電極部
２３　第２の電極部
Ｇ　磁路
【図１】
2004135101.tif 000003
【図２】
2004135101.tif 000004
【図３】
2004135101.tif 000005
【図４】
2004135101.tif 000006
【図５】
2004135101.tif 000007
【図６】
2004135101.tif 000008
【図７】
2004135101.tif 000009